(57)【要約】【課題】太陽電池に到達可能な光量の減少を抑制しつつ、太陽電池と表示パネルを重ね合わせる。【解決手段】ｐ型酸化物透明導電膜１３、ｉ型酸化物透明導電膜１４およびｎ型酸化物透明導電膜１５を透明基板１１上に積層することにより透明太陽電池２を構成し、表示パネル１の表示面上に透明太陽電池２を配置する。【選択図】      図１
2004363290.tif 000002
【特許請求の範囲】
【請求項１】
ｐ型酸化物透明導電膜とｎ型酸化物透明半導電膜との積層構造を備えることを特徴とする太陽電池。
【請求項２】
前記ｐ型酸化物透明導電膜は、Ｃｕを含むデラフォサイト構造を含むことを特徴とする請求項１記載の太陽電池。
【請求項３】
前記ｐ型酸化物透明導電膜は、ＣｕＡｌＯ２、ＣｕＩｎＯ２、ＣｕＧａＯ２またはＳｒＣｕ２Ｏ２であることを特徴とする請求項１または２記載の太陽電池。
【請求項４】
前記ｎ型酸化物透明導電膜は、ＺｎＯ、Ｉｎ２Ｏ３、ＳｎＯ２、ＣｄＩｎ２Ｏ４、ＭｇＩｎ２Ｏ４、ＺｎＧａ２Ｏ４またはＩｎＧａＺｎＯ４であることを特徴とする請求項１〜３のいずれか１項記載の太陽電池。
【請求項５】
可視光に対して透明性を有する透明太陽電池と、
前記透明太陽電池が表示面上に配置された表示パネルとを備えることを特徴とする表示装置。
【請求項６】
前記透明太陽電池は、
透明基板上に積層された透明電極と、
前記透明電極上に積層されたｐ型酸化物透明導電膜と、
前記ｐ型酸化物透明導電膜上に積層されたｎ型酸化物透明半導電膜とを備えることを特徴とする請求項５記載の表示装置。
【請求項７】
前記ｐ型酸化物透明導電膜と前記ｎ型酸化物透明半導電膜との間に設けられたｉ型酸化物透明導電膜をさらに備えることを特徴とする請求項６記載の表示装置。
【請求項８】
可視光に対して透明性を有する透明太陽電池と、
前記透明太陽電池が表示面上に配置された表示装置と、
前記透明太陽電池で発生された電力に基づいて、前記表示装置を駆動する駆動手段とを備えることを特徴とする携帯情報端末。
【発明の詳細な説明】
【０００１】
【発明の属する技術分野】
本発明は太陽電池、表示装置および携帯情報端末に関し、特に、透明太陽電池が搭載された表示装置に適用して好適なものである。
【０００２】
【従来の技術】
従来の表示装置では、バッテリを長持ちさせるために、太陽電池を利用して液晶表示パネルを駆動する方法がある。ここで、太陽電池を搭載するためのスペースを節約するために、例えば、特許文献１には、太陽電池の受光面上に液晶表示パネルを重ね合わせる方法が開示されている。
【０００３】
【特許文献１】
特開２０００−２０６５１１号公報
【０００４】
【発明が解決しようとする課題】
しかしながら、太陽電池の受光面上に液晶表示パネルを重ね合わせる方法では、液晶表示パネルに画像が表示されると、液晶表示パネルで入射光が遮られるため、太陽電池の受光面上に到達可能な光量が減少し、発電効率が劣化するという問題があった。
【０００５】
そこで、本発明の目的は、太陽電池に到達可能な光量の減少を抑制しつつ、太陽電池と表示パネルを重ね合わせることが可能な太陽電池、表示装置および携帯情報端末を提供することである。
【０００６】
【課題を解決するための手段】
上述した課題を解決するために、本発明の一態様に係る太陽電池によれば、ｐ型酸化物透明導電膜とｎ型酸化物透明半導電膜との積層構造を備えることを特徴とする。
これにより、可視領域において透明な太陽電池を形成することが可能となる。このため、表示パネルの視認性を確保しつつ、表示パネル上に太陽電池を重ね合わせることが可能となり、表示パネルを介することなく太陽電池に入射光を直接入射させることが可能となることから、省スペース化を可能としつつ、太陽電池の発電効率を向上させることが可能となる。
【０００７】
また、本発明の一態様に係る太陽電池によれば、前記ｐ型酸化物透明導電膜は、Ｃｕを含むデラフォサイト構造を含むことを特徴とする。
これにより、可視領域において透明なｐ型酸化物透明導電膜を形成することが可能となり、ｎ型酸化物透明導電膜と組み合わせることで、可視領域において透明な太陽電池を形成することが可能となる。
【０００８】
また、本発明の一態様に係る太陽電池によれば、前記ｐ型酸化物透明導電膜は、ＣｕＡｌＯ２、ＣｕＩｎＯ２、ＣｕＧａＯ２またはＳｒＣｕ２Ｏ２であることを特徴とする。
これにより、可視領域において透明なｐ型酸化物透明導電膜を形成することが可能となり、ｎ型酸化物透明導電膜と組み合わせることで、可視領域において透明な太陽電池を形成することが可能となる。
【０００９】
また、本発明の一態様に係る太陽電池によれば、前記ｎ型酸化物透明導電膜は、ＺｎＯ、Ｉｎ２Ｏ３、ＳｎＯ２、ＣｄＩｎ２Ｏ４、ＭｇＩｎ２Ｏ４、ＺｎＧａ２Ｏ４またはＩｎＧａＺｎＯ４であることを特徴とする。
これにより、可視領域において透明なｎ型酸化物透明導電膜を形成することが可能となり、ｐ型酸化物透明導電膜と組み合わせることで、可視領域において透明な太陽電池を形成することが可能となる。
【００１０】
また、本発明の一態様に係る表示装置によれば、可視光に対して透明性を有する透明太陽電池と、前記透明太陽電池が表示面上に配置された表示パネルとを備えることを特徴とする。
これにより、表示パネル上に太陽電池を重ね合わせた場合においても、表示パネルの視認性を確保することが可能となる。このため、表示パネルを介することなく太陽電池に入射光を直接入射させることが可能となり、省スペース化を可能としつつ、太陽電池の発電効率を向上させることが可能となる。
【００１１】
また、本発明の一態様に係る表示装置によれば、前記透明太陽電池は、透明基板上に積層された透明電極と、前記透明電極上に積層されたｐ型酸化物透明導電膜と、前記ｐ型酸化物透明導電膜上に積層されたｎ型酸化物透明半導電膜とを備えることを特徴とする。
これにより、可視領域において透明な太陽電池を形成することが可能となり、表示パネルの視認性を確保しつつ、表示パネル上に太陽電池を重ね合わせることが可能となる。
【００１２】
また、本発明の一態様に係る表示装置によれば、前記ｐ型酸化物透明導電膜と前記ｎ型酸化物透明半導電膜との間に設けられたｉ型酸化物透明導電膜をさらに備えることを特徴とする。
これにより、透明太陽電池の深さ方向に光吸収領域を拡大することが可能となり、光を電気に変換させる変換効率を向上させることが可能となる。
【００１３】
また、本発明の一態様に係る携帯情報端末によれば、可視光に対して透明性を有する透明太陽電池と、前記透明太陽電池が表示面上に配置された表示装置と、前記透明太陽電池で発生された電力に基づいて、前記表示装置を駆動する駆動手段とを備えることを特徴とする。
これにより、表示パネルの視認性を確保しつつ、表示パネル上に太陽電池を重ね合わせることが可能となるとともに、太陽電池で発生した電力で表示パネルを駆動することが可能となる。このため、バッテリの消耗を抑制しつつ、携帯情報端末の省スペース化を図ることが可能となり、携帯情報端末の小型化を図りつつ、バッテリの充電頻度を減らすことが可能となる。
【００１４】
【発明の実施の形態】
以下、本発明の実施形態に係る表示装置について図面を参照しながら説明する。
図１（ａ）は、本発明の一実施形態に係る太陽電池および表示装置の概略構成を示す斜視図、図１（ｂ）は、本発明の一実施形態に係る透明太陽電池の概略構成を示す断面図である。
【００１５】
図１（ａ）において、可視光に対して透明性を有する透明太陽電池２が表示パネル１の表示面上に配置されるとともに、表示パネル１を駆動する駆動回路３が設けられている。ここで、駆動回路３は、透明太陽電池２で発生された電力に基づいて表示パネル１を駆動することができる。なお、表示パネル１としては、液晶表示パネル、有機ＥＬディスプレイまたはプラズマディスプレイなどを用いることができる。
【００１６】
ここで、図１（ｂ）に示すように、透明太陽電池２には、透明基板１１が設けられている。そして、透明基板１１上には透明電極１２が形成され、透明電極１２上には、ｐ型酸化物透明導電膜１３、ｉ型酸化物透明導電膜１４およびｎ型酸化物透明導電膜１５が順次積層されている。
なお、透明基板１１としては、例えば、ガラス基板、透明プラスチック基板または透明フィルムを用いることができる。また、透明電極１２としては、例えば、ＣｏまたはＷなどの膜厚が２００Å以下の金属薄膜またはＩＴＯ（Ｉｎｄｉｕｍ  Ｔｉｎ  Ｏｘｉｄｅ）、ＡＴＯ（Ａｎｔｉｍｏｎｙ  ｄｏｐｅｄ  Ｔｉｎ  Ｏｘｉｄｅ）、ＡＺＯ（Ａｌｕｍｉｎｕｍ  ｄｏｐｅｄ  Ｚｉｎｃ  Ｏｘｉｄｅ）などを用いることができる。また、ｐ型酸化物透明導電膜１３としては、例えば、Ｃｕを含むデラフォサイト構造を用いることができ、ＣｕＡｌＯ２、ＣｕＩｎＯ２、ＣｕＧａＯ２またはＳｒＣｕ２Ｏ２などを用いることができる。また、ｉ型酸化物透明導電膜１４およびｎ型酸化物透明導電膜１５としては、例えば、ＺｎＯ、Ｉｎ２Ｏ３、ＳｎＯ２、ＣｄＩｎ２Ｏ４、ＭｇＩｎ２Ｏ４、ＺｎＧａ２Ｏ４またはＩｎＧａＺｎＯ４などを用いることができる。
【００１７】
ここで、ｐ型酸化物透明導電膜１３およびｎ型酸化物透明導電膜１５を用いて透明太陽電池２を構成することにより、可視領域における透明性を透明太陽電池２に付与することが可能となる。このため、表示パネル１上に透明太陽電池２を重ね合わせた場合においても、表示パネル１の視認性を確保することが可能となり、表示パネル１を介することなく透明太陽電池２に入射光を直接入射させることが可能となる。この結果、透明太陽電池２への光の入射効率を損なうことなく、透明太陽電池２で発生した電力で表示パネル１を駆動することが可能となり、バッテリの消耗を抑制しつつ、携帯情報端末の省スペース化を図ることが可能となる。
【００１８】
なお、図１の実施形態では、ｐ型酸化物透明導電膜１３とｎ型酸化物透明導電膜１５との間にｉ型酸化物透明導電膜１４を設ける方法について説明したが、ｉ型酸化物透明導電膜１４は必ずしも設ける必要はない。また、図１の実施形態では、透明太陽電池２を表示パネル１上に配置する方法を例にとって説明したが、ｐ型酸化物透明導電膜１３およびｎ型酸化物透明導電膜１５を表示パネル１に直接形成してもよく、例えば、液晶表示パネルを構成するガラス基板、偏光板またはカラーフィルタ上などにｐ型酸化物透明導電膜１３およびｎ型酸化物透明導電膜１５を積層することで、透明太陽電池２を形成するようにしてもよい。また、表示パネル１が搭載された携帯情報端末としては、例えば、携帯電話、ノートパソコン、デジタルカメラまたはビデオカメラなどを挙げることができる。
【図面の簡単な説明】
【図１】本発明の一実施形態に係る表示装置の概略構成を示す図。
【符号の説明】
１  表示パネル、２  透明太陽電池、３  駆動回路、１１  透明基板、１２  透明電極、１３  ｐ型酸化物透明導電膜、１４  ｉ型酸化物透明導電膜、１５  ｎ型酸化物透明導電膜
【図１】
2004363290.tif 000003